(57)【要約】【課題】タッチパネルをスライド操作する際の操作性を損なうことなく、タッチした指先の感触だけでタッチ有効領域とタッチ無効領域の識別を可能とする。さらに、指先がタッチ有効領域からタッチ無効領域に移行することを抑制することで、タッチ操作の連続性を維持することが可能な電子機器を提供すること。【解決手段】タッチパネル（２００）と、前記タッチパネル（２００）において、タッチ操作を受け付けるタッチ有効領域（２２０）と、タッチ操作を受け付けないタッチ無効領域（２５０）と、前記タッチ無効領域（２５０）の縁部であって、前記タッチ有効領域（２２０）との境界から所定の領域（２６０）に第１の質感と、前記タッチ有効領域（２２０）の縁部であって、前記タッチ無効領域（２５０）との境界から所定の領域（２４０）に第２の質感と、を有することを特徴とする。【選択図】図１
2017174027.tif 000002
【特許請求の範囲】
【請求項１】
タッチパネル（２００）と、
前記タッチパネル（２００）において、
タッチ操作を受け付けるタッチ有効領域（２２０）と、
タッチ操作を受け付けないタッチ無効領域（２５０）と、
前記タッチ無効領域（２５０）の縁部であって、前記タッチ有効領域（２２０）との境界から所定の領域（２６０）に第１の質感と、
前記タッチ有効領域（２２０）の縁部であって、前記タッチ無効領域（２５０）との境界から所定の領域（２４０）に第２の質感と、を有することを特徴とする電子機器。
【請求項２】
前記第１の質感は、前記タッチパネル（２００）の表面の凸形状により形成されることを特徴とする請求項１に記載の電子機器。
【請求項３】
前記第２の質感は、前記タッチパネル（２００）の表面の前記第１の質感よりも微細な複数の凸形状により形成されることを特徴とする請求項１に記載の電子機器。
【発明の詳細な説明】
【技術分野】
【０００１】
本発明は、表示装置に関し、特にタッチパネル機能を有する表示装置を備えた電子機器の制御方法に関する。
【背景技術】
【０００２】
従来、タッチパネル機能を有する表示装置を備えた電子機器がある。このような電子機器においてユーザーが指やスタイラスなどでタッチパネルを操作することで、電子機器の設定などを行うことができる。また、タッチ操作の普及により、表示装置の大型化や操作部材の簡略化が進んできている。
【０００３】
図２は一般的なデジタルカメラのファインダ接眼状態での撮影姿勢を示した図である。このような撮影姿勢において、タッチパネル２００を利用して、ユーザーがカメラ１００の設定を変更する場合、表示を見ながら操作できないため、ユーザーの意図通りの操作が困難であるという問題があった。
【０００４】
特許文献１には、各機能領域に対応してパネル面上に、指先で接触することにより特定し得る凹凸のパターンをそれぞれ形成してなることを特徴とするタッチパネルが開示されている。
【０００５】
特許文献２には、タッチパッドの操作面のスライド操作に応じて複数の機能項目に対応してそれぞれ設けられる選択領域のいずれか１つが選択され、且つ、タッチパッドの押圧操作に基づいてその選択が決定されるタッチ式入力装置が提案されている。ここでは、前記選択領域は境界領域を隔てて配置されており、選択領域と、境界領域とにおいて、タッチパッドの操作面と指との摩擦抵抗を異ならせる摩擦抵抗調整手段を設けることを特徴とするタッチ式入力装置が開示されている。
【先行技術文献】
【特許文献】
【０００６】
【特許文献１】特開平５−４６３１３号公報
【特許文献２】特開２００６−２２８１５１号公報
【発明の概要】
【発明が解決しようとする課題】
【０００７】
しかしながら、特許文献１に開示された従来技術では、タッチ操作を行うパネル面上に凹凸のパターンを形成しているため、パネル上で指をスライドさせて操作するときに円滑な操作を妨げる可能性があるという問題があった。
【０００８】
特許文献２に開示された従来技術では、各選択領域のなかで指の位置がどこに置かれているのか、たとえば中央部なのか、端部なのかといったような識別が困難であるという問題があった。
【０００９】
そこで、本発明の目的は、タッチパネルをスライド操作する際の操作性を損なうことなく、タッチした指先の感触だけでタッチ有効領域とタッチ無効領域の識別を可能とする。さらに、指先がタッチ有効領域からタッチ無効領域に移行することを抑制することで、タッチ操作の連続性を維持することが可能な電子機器を提供することにある。
【課題を解決するための手段】
【００１０】
上記の目的を達成するために、本発明に係る電子機器は、
タッチパネル（２００）と、
前記タッチパネル（２００）において、
タッチ操作を受け付けるタッチ有効領域（２２０）と、
タッチ操作を受け付けないタッチ無効領域（２５０）と、
前記タッチ無効領域（２５０）の縁部であって、前記タッチ有効領域（２２０）との境界から所定の領域（２６０）に第１の質感と、
前記タッチ有効領域（２２０）の縁部であって、前記タッチ無効領域（２５０）との境界から所定の領域（２４０）に第２の質感と、を有することを特徴とする。
【発明の効果】
【００１１】
本発明によれば、タッチパネルをスライド操作する際の操作性を損なうことなく、タッチした指先の感触だけでタッチ有効領域とタッチ無効領域の識別を可能とする。さらに、指先がタッチ有効領域からタッチ無効領域に移行することを抑制することで、タッチ操作の連続性を維持することが可能な電子機器を提供することができる。
【図面の簡単な説明】
【００１２】
【図１】（ａ）は本発明の一実施形態にかかわるカメラの背面視図、（ｂ）は図１（ａ）のＡ−Ａ線断面の拡大図である。
【図２】一般的なカメラのファインダを覗いている状態の撮影姿勢を示した図である。
【図３】本発明の一実施形態にかかわるタッチパネル制御のフローチャートである。
【図４】本発明の一実施形態にかかわるカメラのブロック図である。
【発明を実施するための形態】
【００１３】
以下に、本発明の好ましい実施形態を、添付の図面に基づいて詳細に説明する。
【００１４】
図１（ａ）は本発明の一実施形態にかかわるカメラの背面視図である。図１（ａ）中に、ファインダ１１０を覗いている状態の、目および鼻の位置を示す線３００を点線部で示している。図１（ｂ）は図１（ａ）のＡ−Ａ線断面の拡大図で、ファインダ１１０を覗いている状態のタッチパネル２００の表面状態を示す図である。図２は一般的なカメラのファインダを覗いている状態の撮影姿勢を示した図である。図３は本発明の一実施形態にかかわるタッチパネル制御のフローチャートである。図４は本発明の一実施形態にかかわるカメラのブロック図である。
【００１５】
図４において、１００はカメラ、１１０は後述の撮影レンズ１３０からの撮影光束が再結像された画像を表示するファインダ、１２０はファインダ１１０に顔などが近づいたことを検知する近接センサである。１３０は撮影光束を取り込む撮影レンズ、１４０は撮影レンズ１３０から取り込んだ撮影光束を光電変換する、ＣＭＯＳやＣＣＤなどからなる撮像素子である。１５０はＣＰＵで、カメラ１００や後述のタッチパネル２００の駆動制御を行う。２００はタッチパネルで、撮影画像の表示やカメラ設定の表示を行う表示装置の役目も兼ねている。
【００１６】
図１において、カメラ１００は、背面にタッチパネル２００を有する。タッチパネル２００は、撮影画像の表示やカメラ設定を変更するための設定画面などを表示することができる。タッチパネル２００の表面は、平滑な平面で、ユーザーが指３１０やスタイラス（不図示）などでタッチパネル２００をタッチ操作やスライド操作することで、撮影画像の編集やカメラ設定の変更が可能である。タッチパネル２００の外側周囲には、加飾印刷部２１０が設けられている。ここで、加飾印刷部２１０は、タッチパネル２００と同一平面である。また、カメラ１００の背面には、ファインダ１１０を有し、撮影レンズ１３０からの撮影光束が再結像された画像や、ＡＦフレームや、カメラ設定の情報などが表示されている。さらに、カメラ１００の背面には、近接センサ１２０が設けられており、ファインダ１１０に顔などが近づいたことを検知することができる。
【００１７】
また、カメラ１００は、ＣＰＵ１５０を有し、カメラ１００の駆動制御やタッチパネル２００の駆動制御を行う。
【００１８】
以下、図１を参照して、本発明の実施形態による、カメラのタッチパネルの制御方法について説明する。
【００１９】
ユーザーがファインダ１１０を観察するために、ファインダ１１０に顔を近づけると、近接センサ１２０により、顔が近づいてきたことを検知する。
【００２０】
次に、ＣＰＵ１５０によって、タッチパネル２００の略右半分を、タッチ操作を受け付ける、第１のタッチ有効領域２３０と、第２のタッチ有効領域２４０からなる、タッチ有効領域２２０に設定する。ここで、タッチ有効領域２２０は、図２に示す撮影姿勢のまま、右手親指で操作可能な範囲に設定することが望ましい。
【００２１】
さらに、ＣＰＵ１５０によって、第２のタッチ有効領域２４０の外側周囲と、タッチパネル２００の略左半分を、タッチ操作を受け付けない、第１のタッチ無効領域２６０と、第２のタッチ無効領域２７０からなる、タッチ無効領域２５０に設定する。これにより、ファインダ１１０を覗いている状態のまま、タッチパネル２００を操作する場合に、指３１０以外のもの、たとえば鼻などがタッチパネル２００に触れても、タッチパネル２００の誤動作を防止することができる。
【００２２】
このとき、ＣＰＵ１５０によって、第１のタッチ有効領域２３０は、平滑な平面とし、第２のタッチ有効領域２４０は、微細な複数の凸形状を形成することで、ユーザーが指３１０で触れたときに、ざらざらした感触を得られるような質感に制御する。上記質感の制御方法としては、種々の公知の技術によって実現できる。例えば、タッチパネル２００の表面に対応して区分けされたセル（不図示）を有し、磁力によってセル（不図示）をタッチパネル２００前面に駆動することによりタッチパネル２００の表面形状を部分的に変化させる駆動装置（不図示）などにより構成される。
【００２３】
ここで、第２のタッチ有効領域２４０は、スライド操作を妨げないような質感に制御することが望ましい。これにより、指先の感触だけでタッチ有効領域２２０の識別が可能である。さらに、スライド操作中に第２のタッチ有効領域２４０に指３１０が進入した場合でも、指３１０をタッチ有効領域２２０の中央付近に戻しながら、スライド操作をすることができるため、スライド操作によるカメラの動作が途切れてしまうことを防止することが可能である。
【００２４】
また、ＣＰＵ１５０によって、第１のタッチ無効領域２６０は、タッチパネル２００の表面を凸形状に変化させるように制御する。これにより、タッチ有効領域２２０と、タッチ無効領域２５０の境界を明確に識別することが可能である。さらに、指３１０がタッチパネル２００の外やタッチ無効領域２５０に、はみ出してしまうことを防止することが可能である。
【００２５】
ここまで述べた、ファインダ１１０を覗いている状態のタッチパネル２００の設定を、本実施形態では、ブラインドタッチモードと呼ぶ。
【００２６】
次に、図３を参照して、本発明の実施形態によるカメラのタッチパネルの制御方法について説明する。
【００２７】
図３では、ステップＳ１０で近接センサ１２０により、顔が近づいているかどうかを判別し、顔が近づいていると判別された場合は、ステップＳ２０に進む。顔が近づいていないと判別された場合は、ステップＳ１０を繰り返す。
【００２８】
次に、ステップＳ２０では、ＣＰＵ１５０によって、タッチパネルを上述したブラインドタッチモードに設定する。
【００２９】
次に、図３を参照して、本発明の実施形態によるブラインドタッチモードについて説明する。
【００３０】
図３では、ステップＳ１００およびステップＳ１１０で、タッチパネル２００の略右半分を、タッチ操作を受け付ける、第１のタッチ有効領域２３０と、第２のタッチ有効領域２４０に設定する。
【００３１】
さらに、ステップＳ１３０およびステップＳ１４０で、第２のタッチ有効領域２４０の外側周囲と、タッチパネル２００の略左半分を、タッチ操作を受け付けない、第１のタッチ無効領域２６０と、第２のタッチ無効領域２７０に設定する。
【００３２】
次に、ステップＳ１４０で、第１のタッチ無効領域に凸形状を形成する。
【００３３】
さらに、ステップＳ１５０で、第２のタッチ有効領域に微細な複数の凸形状を形成する。
【００３４】
本実施形態では、ファインダ１１０を覗いているときに近接センサ１２０により、顔が近づいてきたことを検知し、タッチパネル２００をブラインドタッチモードに設定するようにしたが、本発明はこれらの実施形態に限定されず、その要旨の範囲内で種々の変形および変更が可能である。たとえば、カメラ１００の周囲の明るさを検知する、明るさセンサ（不図示）をさらに有し、カメラ１００の周囲が暗いと判断されたら、タッチパネル２００をブラインドタッチモードに設定するようにしても良い。すなわち、ユーザーがタッチパネル２００の表示を見ながら操作できないような環境を検出した場合に、タッチパネル２００をブラインドタッチモードに設定することが望ましい。
【００３５】
以上、本発明の好ましい実施形態について説明したが、本発明はこれらの実施形態に限定されず、その要旨の範囲内で種々の変形および変更が可能である。
【符号の説明】
【００３６】
１００  カメラ、１１０  ファインダ、１２０  近接センサ、１３０  撮影レンズ、
１４０  撮像素子、１５０  ＣＰＵ、２００  タッチパネル、２１０  加飾印刷部、
２２０  タッチ有効領域、２３０  第１のタッチ有効領域、
２４０  第２のタッチ有効領域、２５０  タッチ無効領域、
２６０  第１のタッチ無効領域、２７０  第２のタッチ無効領域、
３００  ファインダ１１０を覗いている状態の目および鼻の位置を示す線、
３１０  指
【図１】
2017174027.tif 000003
【図２】
2017174027.tif 000004
【図３】
2017174027.tif 000005
【図４】
2017174027.tif 000006